(57)【要約】      （修正有）【課題】シートの剛性を確保すると共に、シートの軽量化を果たした乗り物用シートを提供する。【解決手段】シートは、ボトムプレート３０の着座領域３０ｂにおいて上面から突出した上方リブ３２と、底面から突出した下方リブとを備えている。また、着座領域３０ｂにおいて中央部分に形成された中央凸部３５ａと、中央凸部３５ａよりも外側に間隔を空けて形成された環状凸部３５ｂとを備えている。上方リブ３２は、中央凸部３５ａ及び環状凸部３５ｂが形成された部分とは異なる部分に形成され、一方で、下方リブは、中央凸部３５ａ及び環状凸部３５ｂが形成された部分に形成されている。そして、上方リブ３２及び下方リブが、中央凸部３５ａから環状凸部３５ｂ側に向かって放射状に交互に配置されながら延びて、ハニカム形状を形成している。【選択図】図２
2015093549.tif 000002
【特許請求の範囲】
【請求項１】
着座部の構成要素となるボトムプレートを備えた乗り物用シートであって、
前記ボトムプレートの表面の少なくとも一部には、該表面から突出した補強リブが設けられ、
該補強リブの少なくとも一部がハニカム形状を形成していることを特徴とする乗り物用シート。
【請求項２】
前記補強リブの少なくとも一部は、前記ボトムプレートの上面及び底面の少なくとも一方の面において、着座者を支持する領域となる着座領域に設けられていることを特徴とする請求項１に記載の乗り物用シート。
【請求項３】
前記補強リブの少なくとも一部は、前記着座領域のうち、着座者の左右の坐骨部を支持する領域となる坐骨対応領域に設けられていることを特徴とする請求項２に記載の乗り物用シート。
【請求項４】
前記補強リブは、前記ボトムプレートの上面に設けられる上方リブと、前記ボトムプレートの底面に設けられる下方リブと、を有し、
前記着座領域には、底面側から上面側に向かって突出した補強凸部が設けられ、
前記上方リブの全部又は一部は、前記補強凸部が形成された部分とは異なる部分に形成され、
前記下方リブの全部又は一部は、前記補強凸部が形成された部分に形成され、
前記上方リブ及び前記下方リブの全部又は一部が、前記ハニカム形状を形成していることを特徴とする請求項２又は３に記載の乗り物用シート。
【請求項５】
前記補強凸部は、前記着座領域の中央部分に形成された中央凸部と、該中央凸部よりも外側に間隔を空けて配置され、前記上方リブを介して前記中央凸部に連結される環状凸部と、を有し、
前記上方リブ及び前記下方リブが、前記中央凸部から前記環状凸部側に向かって放射状に交互に配置されながら延びていることを特徴とする請求項４に記載の乗り物用シート。
【請求項６】
前記着座領域には、前記中央凸部と、前記上方リブと、前記環状凸部との上面で平面が形成されていることを特徴とする請求項５に記載の乗り物用シート。
【請求項７】
前記中央凸部の中央部分には、上面側から底面側まで貫通した中央貫通孔が形成され、
前記ボトムプレートの表面には、前記中央貫通孔とは異なる部分に設けられ、上面側から底面側まで貫通したエア抜き孔が形成され、
前記上方リブ及び前記下方リブが、前記中央貫通孔から前記エア抜き孔まで到達するように放射状に延びていることを特徴とする請求項５又は６に記載の乗り物用シート。
【請求項８】
前記補強リブは、前記ボトムプレートの外表面において前記着座領域側から外縁側に向かって直線状に延びた側方リブを有していることを特徴とする請求項４乃至７のいずれか１項に記載の乗り物用シート。
【請求項９】
前記補強リブの一部は、
前記ボトムプレートの上面において乗り物の燃料給油口に対応する領域となる給油口対応領域に設けられ、
該給油口対応領域において前記ハニカム形状を形成していることを特徴とする請求項１乃至８のいずれか１項に記載の乗り物用シート。
【発明の詳細な説明】
【技術分野】
【０００１】
本発明は、乗り物用シートに係り、特に、オートバイ、雪上バイク、水上バイク等に使用される鞍乗型の乗り物用シートに関する。
【背景技術】
【０００２】
従来、着座部の構成要素となるボトムプレートを備えた鞍乗型乗り物用シートでは、着座者から受ける荷重や、走行中の振動による繰り返し荷重等を支えるために、ボトムプレートの剛性を高める技術が種々提案されている。
例えば、ボトムプレートの表面上に補強リブを格子状に設けることで、シート全体の剛性を確保したものが知られている。
【０００３】
そして、特許文献１に記載の乗り物用シートでは、ボトムプレートに相当する底板の表面上に、上側又は下側に向けて突出し、シート前後方向及びシート幅方向に対して鋭角をなす態様で延在する突起部が補強リブとして形成されている。
このように構成することで、シート全体の剛性を確保しながらも、ボトムプレートに補強リブを格子状に設ける従来の場合と比較して使用材料が少なくなるから、シートの軽量化を確保することができる。
【先行技術文献】
【特許文献】
【０００４】
【特許文献１】特開２００９−１５４８４８号公報
【発明の概要】
【発明が解決しようとする課題】
【０００５】
ところで、オートバイ等に使用される鞍乗型乗り物用シートでは、シートの剛性を確保した上で、車両の燃費向上のために軽量化することが強く求められている。
特許文献１に記載の乗り物用シートでは、補強リブに相当する突起部の配置及び構成を工夫することで、シートの軽量化を図っているものの、さらなる軽量化を果たすことが広く望まれていた。
【０００６】
また、オートバイ等のシートでは、着座者を支持する着座領域、外縁領域、そして燃料給油口の周辺領域等においてシートの剛性を特に必要とするため、シート全体のうち、これら領域の剛性を確保しながらも、シートの軽量化を向上させたシートが望まれていた。
【０００７】
本発明は、上記の課題に鑑みてなされたものであり、本発明の目的は、シートの剛性を確保すると共に、シートの軽量化を果たした乗り物用シートを提供することにある。
また、本発明の他の目的は、シート全体のうち、特にシートの着座領域、シートの外縁領域、そしてシートの燃料給油口の周辺領域において剛性を確保すると共に、シートの軽量化を果たした乗り物用シートを提供することにある。
【課題を解決するための手段】
【０００８】
前記課題は、本発明の乗り物用シートによれば、着座部の構成要素となるボトムプレートを備えた乗り物用シートであって、前記ボトムプレートの表面の少なくとも一部には、該表面から突出した補強リブが設けられ、該補強リブの少なくとも一部がハニカム形状を形成していること、により解決される。
【０００９】
上記のように、ボトムプレートの表面の少なくとも一部に、ハニカム形状を形成する補強リブが設けられているため、シートの剛性を確保しながらも、シートの軽量化を果たすことができる。
具体的に説明すると、ハニカム構造として、ボトムプレートの表面上に補強リブが略正六角形の空間を隙間なく区画するように形成されるため、荷重分散に優れて高強度となり、ひねりや捻りに強く高剛性となり、しかも同じ体積の図形による３次元空間充填で補強リブの体積が最も小さくなることから軽量化を達成できる。
【００１０】
このとき、前記補強リブの少なくとも一部は、前記ボトムプレートの上面及び底面の少なくとも一方の面において、着座者を支持する領域となる着座領域に設けられていると良い。
また、前記補強リブの少なくとも一部は、前記着座領域のうち、着座者の左右の坐骨部を支持する領域となる坐骨対応領域に設けられていると良い。
上記構成により、シート全体のうち、着座領域、特に坐骨対応領域においてハニカム形状の補強リブが形成されることで剛性を確保することができる。
【００１１】
このとき、前記補強リブは、前記ボトムプレートの上面に設けられる上方リブと、前記ボトムプレートの底面に設けられる下方リブと、を有し、前記着座領域には、底面側から上面側に向かって突出した補強凸部が設けられ、前記上方リブの全部又は一部は、前記補強凸部が形成された部分とは異なる部分に形成され、前記下方リブの全部又は一部は、前記補強凸部が形成された部分に形成され、前記上方リブ及び前記下方リブの全部又は一部が、前記ハニカム形状を形成していると良い。
上記のように、ボトムプレートの表面上に上方リブと下方リブとをそれぞれ設けているため、例えばボトムプレートの上面のみに補強リブを設けた場合と比較して、ボトムプレート全体の剛性が向上する。
そして、上方リブの全部又は一部は、着座領域の上面において凸部が形成された部分とは異なる部分に設けられ、下方リブの全部又は一部は、着座領域の底面において凸部が形成された部分に設けられるため、ボトムプレートの高さ方向において補強リブが余計に張り出すことがなく、ボトムプレートを小型化できる。
そして、上方リブと下方リブとがハニカム形状を形成しているため、シート全体のうち、特に着座領域の剛性を確保しながら、シート全体の軽量化を図ることができる。
【００１２】
このとき、前記補強凸部は、前記着座領域の中央部分に形成された中央凸部と、該中央凸部よりも外側に間隔を空けて配置され、前記上方リブを介して前記中央凸部に連結される環状凸部と、を有し、前記上方リブ及び前記下方リブが、前記中央凸部から前記環状凸部側に向かって放射状に交互に配置されながら延びていると良い。
上記構成により、着座領域の中央凸部から環状凸部にわたって交互に凹凸形状が形成されると共に、上方リブと下方リブも交互に形成されることになるから、ボトムプレートの着座領域において剛性が向上する。
そして、中央凸部と環状凸部とが上方リブを介して連結されるため一層剛性が向上する。
【００１３】
このとき、前記着座領域には、前記中央凸部と、前記上方リブと、前記環状凸部との上面で平面が形成されていると良い。
上記構成により、着座者がボトムプレートの平面部分で支持されることから、従来の補強リブを設けた構造と比較して、着座フィーリングが良くなる。
【００１４】
このとき、前記中央凸部の中央部分には、上面側から底面側まで貫通した中央貫通孔が形成され、前記ボトムプレートの表面には、前記中央貫通孔とは異なる部分に設けられ、上面側から底面側まで貫通したエア抜き孔が形成され、前記上方リブ及び前記下方リブが、前記中央貫通孔から前記エア抜き孔まで到達するように放射状に延びていると良い。
上記構成により、ボトムプレートの表面上のうち、比較的剛性が低くなった貫通孔形成部分に対して、ハニカム形状の補強リブを持たせて補強することができる。
【００１５】
このとき、前記補強リブは、前記ボトムプレートの外表面において前記着座領域側から外縁側に向かって直線状に延びた側方リブを有していると良い。
上記構成により、シート全体のうち、特にシートの外縁領域において剛性を確保することができる。
なお、シートの外縁領域に剛性を持たせることで、例えば、第三者が乗り物本体からシートを無理やりこじ開けようとしてもシートの変形を抑制することができる。
【００１６】
このとき、前記補強リブの一部は、前記ボトムプレートの上面において乗り物の燃料給油口に対応する領域となる給油口対応領域に設けられ、該給油口対応領域において前記ハニカム形状を形成していると良い。
上記構成により、シート全体のうち、特にシートの燃料給油口の周辺領域において剛性を確保することができる。
なお、シートの燃料給油口の周辺領域に剛性を持たせることで、例えば、第三者が乗り物本体から燃料を盗むためにシートを無理やりこじ開けようとしてもシートの変形を抑制することができる。
【発明の効果】
【００１７】
請求項１の発明によれば、ボトムプレートの表面の少なくとも一部に、ハニカム形状を形成する補強リブが設けられているため、シートの剛性を確保しながらも、シートの軽量化を果たすことができる。
具体的に説明すると、ハニカム構造として、ボトムプレートの表面上に補強リブが略正六角形の空間を隙間なく区画するように形成されるため、荷重分散に優れて高強度となり、ひねりや捻りに強く高剛性となり、しかも同じ体積の図形による３次元空間充填で補強リブの体積が最も小さくなることから軽量化を達成できる。
【００１８】
請求項２、３の発明によれば、シート全体のうち、着座領域、特に坐骨対応領域においてハニカム形状の補強リブが形成されることで剛性を確保することができる。
請求項４の発明によれば、ボトムプレートの表面上に上方リブと下方リブとをそれぞれ設けているため、例えばボトムプレートの上面のみに補強リブを設けた場合と比較して、ボトムプレート全体の剛性が向上する。
そして、上方リブの全部又は一部は、着座領域の上面において凸部が形成された部分とは異なる部分に設けられ、下方リブの全部又は一部は、着座領域の底面において凸部が形成された部分に設けられるため、ボトムプレートの高さ方向において補強リブが余計に張り出すことがなく、ボトムプレートを小型化できる。
そして、上方リブと下方リブとがハニカム形状を形成しているため、シート全体のうち、特に着座領域の剛性を確保しながら、シート全体の軽量化を図ることができる。
【００１９】
請求項５の発明によれば、着座領域の中央凸部から環状凸部にわたって交互に凹凸形状が形成されると共に、上方リブと下方リブも交互に形成されることになるから、ボトムプレートの着座領域において剛性が向上する。
そして、中央凸部と環状凸部とが上方リブを介して連結されるため一層剛性が向上する。
請求項６の発明によれば、着座者がボトムプレートの平面部分で支持されることから、従来の補強リブを設けた構造と比較して、着座フィーリングが良くなる。
請求項７の発明によれば、ボトムプレートの表面上のうち、比較的剛性が低くなった貫通孔形成部分に対して、ハニカム形状の補強リブを持たせて補強することができる。
【００２０】
請求項８の発明によれば、シート全体のうち、特にシートの外縁領域において剛性を確保することができる。
なお、シートの外縁領域に剛性を持たせることで、例えば、第三者が乗り物本体からシートを無理やりこじ開けようとしてもシートの変形を抑制することができる。
請求項９の発明によれば、シート全体のうち、特にシートの燃料給油口の周辺領域において剛性を確保することができる。
なお、シートの燃料給油口の周辺領域に剛性を持たせることで、例えば、第三者が乗り物本体から燃料を盗むためにシートを無理やりこじ開けようとしてもシートの変形を抑制することができる。
【図面の簡単な説明】
【００２１】
【図１】本実施形態の乗り物用シートを示す右側面図である。
【図２】シートのボトムプレートを上面側から見た斜視図である。
【図３】図２のボトムプレートを底面側から見た斜視図である。
【図４】ボトムプレートの第２実施例を示す上面図である。
【図５】ボトムプレートの第２実施例を示す底面図である。
【図６】ボトムプレートの第３実施例を示す上面図である。
【図７】ボトムプレートの第３実施例を示す底面図である。
【図８】ボトムプレートの第４実施例を示す上面図である。
【図９】ボトムプレートの第４実施例を示す底面図である。
【発明を実施するための形態】
【００２２】
本実施形態は、ボトムプレートを備えたオートバイ用のシートであって、ボトムプレートの着座領域において上面から突出した上方リブと、底面から突出した下方リブとを備え、上方リブと下方リブとが、着座領域の中央部分から放射状に交互に配置されながら延びてハニカム形状を形成していることを特徴とするシートの発明に関するものである。
【００２３】
本実施形態のシートＳは、図１に示すように、オートバイの着座部を構成する部材であって、ベース基板となるボトムプレート３０と、ボトムプレート３０上に載置されるクッション材１０と、ボトムプレート３０及びクッション材１０を被覆する表皮材２０と、から主に構成されている。
詳しく説明すると、シートＳでは、表皮材２０の表皮端末をステイプルなどでボトムプレート３０の内表面に取り付ける端末処理が行われている。
【００２４】
クッション材１０は、発泡ウレタン等を用いた弾性部材からなる。
表皮材２０は、ポリ塩化ビニル系レザー等を用いた被覆材からなり、直接風雨に曝されるオートバイ用の表皮材として好適である。
詳しく言うと、表皮材２０は、織物、編み物、不織布等の繊維基材の表面に軟質ポリ塩化ビニル層を積層して形成されている。
【００２５】
ボトムプレート３０は、ポリプロピレン等を原材料とする板状の樹脂成形品からなり、図１に示すように、オートバイ本体に取り付けられるシートＳのベース基板である。
ボトムプレート３０は、図２に示すように、シート前後方向に長尺であってオートバイ本体の形状に合わせて略階段状に形成されている。
【００２６】
ボトムプレート３０は、シート前方部分に設けられ、オートバイ本体に回動可能に取り付けられる領域となるヒンジ取り付け領域３０ａと、シート前後方向の略中央部分に設けられ、着座者を支持する領域となる着座領域３０ｂと、シート後方部分に設けられ、オートバイの燃料給油口に対応する領域となる給油口対応領域３０ｅと、着座領域３０ｂと給油口対応領域３０ｅとの間に設けられ、オートバイ本体にロック可能に取り付けられる領域となるロックバー取り付け領域３０ｄと、から主に構成されている。
また、着座領域３０ｂ内には、着座者の左右の坐骨部を支持する領域として坐骨対応領域３０ｃが設けられている。
ボトムプレート３０の表面には、図２及び図３に示すように、略全体にわたって表面から突出形成された補強リブ３１が設けられている。
【００２７】
補強リブ３１は、ボトムプレート３０と一体成形された板状部材からなり、複数の板状部材を組み合わせることで所定形状を形成している。
補強リブ３１は、図２に示すように、ボトムプレート３０の上面から上方に突出する上方リブ３２と、ボトムプレート３０の側面から側方に突出する側方リブ３３と、図３に示すように、ボトムプレート３０の底面から下方に突出する下方リブ３４と、から主に構成されている。
【００２８】
上方リブ３２は、図２に示すように、ボトムプレート３０の上面においてその形状を所定領域に応じて変えながら設けられている。
具体的には、上方リブ３２の一部は、ヒンジ取り付け領域３０ａにおいて、略格子形状を形成するように直線状に延びている。
また、上方リブ３２の一部は、着座領域３０ｂにおいて、略ハニカム形状を形成するように着座領域３０ｂの中央部分から放射状に延びている。
また、上方リブ３２の一部は、着座領域３０ｂからロックバー取り付け領域３０ｄに向かって直線状に延びており、シート幅方向に所定の間隔を空けて複数設けられている。
【００２９】
側方リブ３３は、図２に示すように、ボトムプレート３０の外側面においてシート前後方向に所定の間隔を空けて複数設けられ、それぞれ着座領域３０ｂから外縁に向かって直接状に延びている。
詳しく言うと、側方リブ３３は、着座領域３０ｂにおいてハニカム形状からなる上方リブ３２の各最外頂点から連続してボトムプレート３０の外縁に向かって各々延びている。
【００３０】
下方リブ３４は、図３に示すように、ボトムプレート３０の底面のうち、着座領域３０ｂにおいて、略ハニカム形状を形成するように着座領域３０ｂの中央部分から放射状に延びている。
上記構成において、上方リブ３２の一部と下方リブ３４の全部とが、着座領域３０ｂの中央部分から放射状に交互に配置されながら連続して延びて、着座領域３０ｂの全体にわたってハニカム形状を形成している。
【００３１】
ボトムプレート３０の表面には、図２又は図３に示すように、着座領域３０ｂにおいて底面側から上面側に向かって突出した補強凸部３５と、給油口対応領域３０ｅからロックバー取り付け領域３０ｄまで延びて、上面側から底面側に向かって凹んだ補強凹部３６と、が設けられている。
【００３２】
補強凸部３５は、図２に示すように、着座領域３０ｂの中央部分に形成された中央凸部３５ａと、中央凸部３５ａよりも外側に所定の間隔を空けて配置され、上方リブ３２を介して中央凸部３５ａに連結された環状凸部３５ｂと、から主に構成されている。
中央凸部３５ａは、断面略六角形状の凸部からなり、詳しく言うと、略正六角形を隙間なく７つ並べた断面形状の凸部からなる。
環状凸部３５ｂは、断面略環状形状の凸部からなり、詳しく言うと、略正六角形を環状に１８つ並べた断面形状の凸部からなる。
中央凸部３５ａの各外側頂点と、環状凸部３５ｂの各内側頂点とが、上方リブ３２を介して互いに連結されている。
【００３３】
上記構成において、着座領域３０ｂに設けられた上方リブ３２は、図２に示すように、補強凸部３５が形成された部分とは異なる部分に設けられている。
そして、着座領域３０ｂにおいて、上方リブ３２の上面と、中央凸部３５ａの上面と、環状凸部３５ｂの上面とが面一になるように形成されている。
その結果、着座者がボトムプレート３０の平面部分で支持されることから、従来の補強リブを設けた構造と比較して着座フィーリングが良くなる。
【００３４】
一方で、着座領域３０ｂに設けられた下方リブ３４は、図３に示すように、補強凸部３５が形成された部分に設けられている。
そして、着座領域３０ｂにおいて、下方リブ３４の底面と、ボトムプレート３０の底面とが面一になるように形成されている。
その結果、ボトムプレート３０の高さ方向において下方リブ３４が余計に張り出すことがなくなるため、シートＳよりも下方に設けられるオートバイ本体の収納部に、ヘルメット等の大型収納物を収納させるスペースを確保することができる。
【００３５】
なお、着座領域３０ｂのシート左右両端部には、底面側から上面側に向かって突出し、成形時の肉盗みのために設けられる左右の肉盗み凸部３５ｃが形成されている。
そのため、成形時のヒケの発生を抑制でき、ボトムプレート３０の軽量化につながる。
【００３６】
補強凹部３６は、シート前後方向に長尺な断面略四角形状の凹部からなり、シート幅方向に所定の間隔を空けて３つ形成されており、給油口対応領域３０ｅからロックバー取り付け領域３０ｄまで延びている。
詳しく言うと、シート幅方向の中央位置にある補強凹部３６は、その前方部分においてロックバー取り付け領域３０ｄと重なるように配置され、後方部分において給油口対応領域３０ｅと重なるように配置されている。
また、補強凹部３６の上面には、シート幅方向に延びた上方リブ３２の一部がシート前後方向に所定の間隔を空けて複数設けられている。
【００３７】
ボトムプレート３０の表面には、図２に示すように、着座領域３０ｂの中央部分において上面側から底面側まで貫通した略正六角形状の中央貫通孔３７と、着座領域３０ｂの左右両端部分において上面側から底面側まで貫通した略円形状のエア抜き孔３８と、が設けられている。
中央貫通孔３７は、オートバイ本体に設けられる収容部にヘルメット等を収容したときに、干渉を抑制するための逃げ孔となる。
エア抜き孔３８は、燃料給油時にタンク内の気圧を一定にするための孔となる。
【００３８】
上記構成において、着座領域３０ｂに設けられた上方リブ３２及び下方リブ３４が、中央貫通孔３７からエア抜き孔３８まで到達するように放射状に延びて、ハニカム形状を形成している。
そのため、ボトムプレート３０の表面上のうち、比較的剛性が低くなった貫通孔形成部分に対して、ハニカム形状の補強リブ３１を持たせることができる。
【００３９】
＜ボトムプレートの第２実施形態＞
次に、ボトムプレートの第２実施例について、図４、図５に基づいて説明する。
なお、以下の説明において、上述したボトムプレート３０と重複する内容は説明を省略する。以下同様とする。
第２実施例に係るボトムプレート４０では、補強リブ４１の形状、配置が異なっている。
【００４０】
補強リブ４１は、図４及び図５に示すように、上方リブ４２と、側方リブ４３と、から主に構成されており、ボトムプレート４０の底面には補強リブ４１が設けられていない。
上方リブ４２の一部は、着座領域４０ｂの中央部分から放射状に連続して延びて、着座領域４０ｂの全体にわたってハニカム形状を形成している。
そして、上方リブ４２の一部は、着座領域４０ｂからロックバー取り付け領域４０ｅを超えて給油口対応領域４０ｄまで直線状に延びており、全体にわたって格子形状を形成している。
【００４１】
上記構成により、ボトムプレート４０の上面に補強リブ４１を全体にわたって形成することで剛性を確保し、一方で、ボトムプレート４０の底面には補強リブ４１を形成しないことで軽量化を図ることができる。
また、ボトムプレート４０の底面に補強リブ４１を形成しないことで、シートＳよりも下方に設けられるオートバイ本体の収納部に、大型収納物を収納させるスペースを十分に確保することができる。
また、ボトムプレート４０の上下方向に凹凸部を形成しない比較的シンプルな形状となり樹脂成形がし易くなる。
【００４２】
＜ボトムプレートの第３実施形態＞
次に、ボトムプレートの第３実施例について、図６、図７に基づいて説明する。
第３実施例に係るボトムプレート５０では、補強リブ５１の形状、配置が異なっている。
【００４３】
補強リブ５１は、図６及び図７に示すように、上方リブ５２と、側方リブ５３と、下方リブ５４と、から主に構成されている。
上方リブ５２は、給油口対応領域５０ｄにおいてハニカム形状を形成するように設けられている。
一方で、下方リブ５４は、着座領域５０ｂにおいてハニカム形状を形成すると共に、中央貫通孔５７と左右のエア抜き孔５８との間の領域において、ハニカム形状を構成する各正六角形状をさらに２つの台形形状に区画するように設けられている。
【００４４】
上記構成により、ボトムプレート５０のうち、比較的剛性を必要とする給油口対応領域５０ｄにおいて、ハニカム形状の補強リブ５１を持たせることで剛性を確保することができる。
また、ボトムプレート５０のうち、比較的剛性を必要とする中央貫通孔５７と左右のエア抜き孔５８との間の領域において、台形形状に区画するハニカム形状を持たせることで剛性を一層向上させることができる。
【００４５】
＜ボトムプレートの第４実施形態＞
次に、ボトムプレートの第４実施例について、図８、図９に基づいて説明する。
第４実施例に係るボトムプレート６０では、補強リブ６１の形状、配置が異なっている。
【００４６】
補強リブ６１は、図６及び図７に示すように、上方リブ６２と、側方リブ６３と、下方リブ６４と、から主に構成されている。
上方リブ６２のうち、坐骨対応領域６０ｃに設けられた上方リブ６２の厚みは、坐骨対応領域６０ｃ以外の領域に設けられた上方リブ６２の厚みよりも大きくなるように形成されている。
一方で、下方リブ６４は、着座領域６０ｂにおいてハニカム形状を形成すると共に、ハニカム形状を構成する各正六角形状をさらに６つの正三角形状に区画するように設けられている。
また、下方リブ６４のうち、坐骨対応領域６０ｃに設けられた下方リブ６４の厚みは、坐骨対応領域６０ｃ以外の領域に設けられた下方リブ６４の厚みよりも大きくなるように形成されている。
【００４７】
上記構成により、ボトムプレート６０のうち、着座者から受ける荷重が比較的大きくなる坐骨対応領域６０ｃにおいて、補強リブ６１の厚みを確保することができ、シートＳの剛性を確保することができる。
また、ボトムプレート６０のうち、着座者から受ける荷重が比較的大きくなる着座領域６０ｂにおいて、正三角形状に区画するハニカム形状を持たせることで剛性を一層向上させることができる。
【００４８】
＜その他の実施形態＞
上記実施形態において、シートＳは、日射に直接曝されたり、風雨又は雪に直接曝されたりするオートバイ用のシートを具体例として説明したが、これに限定されることなく、例えば、雪上バイク、水上の水上バイク等の屋外で使用される鞍乗型乗物用シートとしても利用することができる。
また、着座者が跨るように着座する鞍乗型乗物用シートのほか、自動車、電車、バス等の車両用シートのほか、飛行機、船等の乗物用シートとしても利用することができる。
【００４９】
上記実施形態において、シートＳは、一人用のシングルシートとして構成されているが、これに限定されることなく、前方座席と後方座席を備えた二人用のダブルシートとして構成されていても良い。
その場合、二人目が着座する着座領域において上述したハニカム形状の補強リブを同様に適用させることができる。
【００５０】
本実施形態では、主として本発明に係る乗物用シートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、ボトムプレートの表面に設けられる補強リブの形状、配置及び構成について、上記の実施形態にて説明したものは、あくまで一例に過ぎず、本発明を限定するものではない。
【符号の説明】
【００５１】
Ｓ  シート
１０  クッション材
２０  表皮材
３０、４０、５０、６０  ボトムプレート
３０ａ  ヒンジ取り付け領域
３０ｂ、４０ｂ、５０ｂ、６０ｂ  着座領域
３０ｃ、６０ｃ  坐骨対応領域
３０ｄ、４０ｄ  ロックバー取り付け領域
３０ｅ、４０ｅ、５０ｅ  給油口対応領域
３１、４１、５１、６１  補強リブ
３２、４２、５２、６２  上方リブ
３３、４３、５３、６３  側方リブ
３４、５４、６４  下方リブ
３５  補強凸部
３５ａ  中央凸部
３５ｂ  環状凸部
３５ｃ  肉盗み凸部
３６  補強凹部
３７、５７  中央貫通孔
３８、５８  エア抜き孔
【図１】
2015093549.tif 000003
【図２】
2015093549.tif 000004
【図３】
2015093549.tif 000005
【図４】
2015093549.tif 000006
【図５】
2015093549.tif 000007
【図６】
2015093549.tif 000008
【図７】
2015093549.tif 000009
【図８】
2015093549.tif 000010
【図９】
2015093549.tif 000011